(57)【要約】【課題】走行読取モードにおける原稿の誤判定があったとしても、複写や印刷の画質劣化を抑制する画像処理装置を提供する。【解決手段】この画像処理装置は、画像読取装置により読み取った原稿の画像データについて原稿種別を判別する原稿種別自動判別部と、前記画像データに画像処理を施す処理部の動作の制御を行う制御部とを少なくとも備える画像処理装置であって、前記画像読取装置から受け取った画像データが原稿を搬送させながら読み取るモードで読み取られたものであり、前記原稿種別自動判別部により、原稿種別が、印画紙写真が含まれる原稿であると判断された場合、前記制御部は、前記画像データに施す画像処理に用いる設定値を、原稿を静止して読み取るモードの場合とは異なる設定値に設定し、前記制御部は、前記画像データに画像処理を施す処理部の制御を行う。【選択図】図５
2009182930.tif 000002
【特許請求の範囲】
【請求項１】
画像読取装置により読み取った原稿の画像データについて原稿種別を判別する原稿種別自動判別部と、前記画像データに画像処理を施す処理部の動作の制御を行う制御部とを少なくとも備える画像処理装置において、前記画像読取装置から受け取った画像データが原稿を搬送させながら読み取るモードで読み取られたものであり、前記原稿種別自動判別部により、原稿種別が、印画紙写真が含まれる原稿であると判断された場合、前記制御部は、前記画像データに施す画像処理に用いる設定値を、原稿を静止して読み取るモードの場合とは異なる設定値に設定し、前記制御部は、前記画像データに画像処理を施す処理部の制御を行うことを特徴とする画像処理装置。
【請求項２】
請求項１に記載の画像処理装置において、前記画像処理に用いる設定値の変更を行う処理部は、色補正処理部とフィルタ処理部であり、前記制御部は、色補正処理部については、普通紙にインクジェット方式で印刷された原稿に適した色補正値を設定し、フィルタ処理部については、原稿を静止して読み取るモードの場合よりは平滑成分を強めたフィルタ処理を行うようなフィルタ係数を設定することを特徴とする画像処理装置。
【請求項３】
請求項１に記載の画像処理装置において、前記印画紙写真原稿の画像データに施す画像処理に用いる設定値の変更を選択可能に構成することを特徴とする画像処理装置。
【請求項４】
請求項１乃至３のいずれかに記載の画像処理装置を備え、読み取った原稿の画像データと原稿の読取モードとを前記画像処理装置に供給する画像読取装置。
【請求項５】
原稿を読み取る画像読取装置と、請求項１、２または３に記載の画像処理装置とを備え、前記画像処理装置で処理された画像データに基づいて画像形成を行うことを特徴とする画像形成装置。
【請求項６】
画像読取装置により読み取った原稿の画像データについて原稿種別を判別し、前記画像読取装置から受け取った画像データが原稿を搬送させながら読み取るモードで読み取られたものであると判断した場合、印画紙写真が含まれると判定された原稿の画像データに施す画像処理に用いる設定値を、原稿を静止して読み取るモードの場合とは異なる設定値に設定し、その設定値をもとに前記画像データに画像処理を施すことを特徴とする画像処理方法。
【請求項７】
コンピュータを、請求項１、２または３に記載の画像処理装置の各部として機能させるための画像処理プログラム。
【請求項８】
請求項７に記載の画像処理プログラムを記録したコンピュータ読取り可能な記録媒体。
【発明の詳細な説明】
【技術分野】
【０００１】
本発明は、入力画像データを処理する画像処理装置、画像読取装置、画像形成装置、画像処理方法、並びに、画像処理プログラム、その画像処理プログラムを記録したコンピュータ読取可能な記録媒体に関する。
【背景技術】
【０００２】
電子写真プロセスやインクジェット方式を用いた複写機やプリンタなどの画像形成装置は、デジタル画像処理技術の進展に伴って、カラー画像を高画質に再現することが可能となり、フルカラーのデジタル複写機、複合機などが製品化されているが、これらの装置を用いて形成（印刷、複写）された原稿から良好な再現画像を複写するためには、それぞれの原稿に適合した画像処理を行う必要がある。
【０００３】
そこで、原稿について、読み込まれた画像データから所定の特徴量を抽出し、抽出した特徴量に基づいて原稿の種別を判定し、その判定結果に基づいて最適な処理を施す技術が提案されている。
例えば、特許文献１の技術では、プレスキャン時に、原稿の種類、特に絵柄が銀塩写真であるのか、あるいは網点写真であるのか、あるいは両方が含まれているのかを判定し、その判定結果に基づいて色補正係数群を切り替えて最適な色補正を行っている。
【０００４】
また、原稿を読み取るには、原稿を搬送させながら読み取る方法（走行読取モード）と、原稿を原稿台に置いて読み取る方法（静止読取モード）とがあることが知られている。静止読取モードでは、コンタクトガラスの上には原稿を押さえるための原稿カバーマットが設けられており、原稿の浮きなどを防止できるようになっているが、走行読取モードでは、原稿を搬送させて読み取りを行うため、原稿に多少の浮きがが生じる可能性があり、（１）読み取りγ特性、（２）ＭＴＦ（Modulation Transfer Function）、（３）色味の相違を引き起こすおそれがある。そのため、特許文献２の技術では、原稿読み取りが走行読取モード（ＳＤＦ（シートスルードキュメントフィーダ））であるか、または原稿台使用であるかに応じて、γ補正処理、フィルタ処理、像域分離処理、色補正処理などの画像処理を切り替えている。
【特許文献１】特開平６−１９７２１８号公報
【特許文献２】特開２００３−１０１７７０号公報
【発明の開示】
【発明が解決しようとする課題】
【０００５】
原稿を読み取る方法の１つである走行読取モードでは、静止読取モードと比較して、原稿の種類が限定されたものと言える。
例えば、用紙に写真を貼り付けた原稿を走行読取モードで読み取ることは、原稿を傷つけるおそれがあるためほとんど使われないと考えられるが、オフィス等で広く用いられている原稿は普通紙や再生紙であり、写真（印画紙写真）が貼り付けられた原稿の使用はまずないと考えられる。
【０００６】
上記特許文献１および特許文献２の技術では、原稿を搬送させながら読み取る方法（走行読取モード）と、原稿を原稿台に置いて読み取る方法（静止読取モード）とで、判別される原稿の種類を変更することに関しては記載されておらず、同じに設定されていると考えられる。
しかし、上記したように、原稿を搬送させながら読み取る場合、原稿の種類は限定されるものであり、特許文献１のように全ての原稿を判別対象とすると、誤判別が生じた場合、画質が劣化することが生じるという問題がある。
【０００７】
本発明は、上述のような実情を考慮してなされたものであって、走行読取モードにおける原稿の種類を誤判定したとしても、複写や印刷の画質劣化を抑制する画像処理装置、画像読取装置、画像形成装置、画像処理方法、並びに、画像処理プログラム、その画像処理プログラムを記録したコンピュータ読取可能な記録媒体を提供することを目的とする。
【課題を解決するための手段】
【０００８】
上記の課題を解決するために、本発明の画像処理装置は次のいずれかの構成からなっている。
本発明の画像処理装置は、画像読取装置により読み取った原稿の画像データについて原稿種別を判別する原稿種別自動判別部と、前記画像データに画像処理を施す処理部の動作の制御を行う制御部とを少なくとも備える画像処理装置であって、前記画像読取装置から受け取った画像データが原稿を搬送させながら読み取るモードで読み取られたものであり、前記原稿種別自動判別部により、原稿種別が、印画紙写真が含まれる原稿であると判断された場合、前記制御部は、前記画像データに施す画像処理に用いる設定値を、原稿を静止して読み取るモードの場合とは異なる設定値に設定し、前記制御部は、前記画像データに画像処理を施す処理の制御を行うものである。
【０００９】
前記画像処理に用いる設定値の変更を行う処理部は、色補正処理部とフィルタ処理部であり、前記制御部は、色補正処理については、普通紙にインクジェット方式で印刷された原稿に適した色補正値を設定し、フィルタ処理については、原稿を静止して読み取るモードの場合よりは平滑成分を強めたフィルタ処理を行うようなフィルタ係数を設定する。
【００１０】
また、上記構成の画像処理装置において、前記印画紙写真原稿の画像データに施す画像処理に用いる設定値の変更を選択可能に構成するものであってもよい。
また、本発明の画像処理装置は、画像読取装置や画像形成装置に備えられてもよい、前記画像読取装置は、前記画像処理装置で処理された画像データをプリンタや複合機、コンピュータに送信し、前記画像形成装置は、前記画像処理装置から供給される画像データにより画像形成する。
【００１１】
さらに、上記画像処理装置は、コンピュータによって実現されてもよく、この場合には、コンピュータを上記各部として動作させるプログラム、および、該プログラムを記録したコンピュータ読み取り可能な記録媒体も、本発明の範疇に入る。
【発明の効果】
【００１２】
本発明によれば、走行読取モードで、普通紙にインクジェット方式で印刷された原稿が印画紙原稿に判定されたとしても、色が異なる、あるいは、粒状性が目立つといった画質劣化を抑制されたより良い画像を形成することができる。
【発明を実施するための最良の形態】
【００１３】
以下、図面を参照して本発明の好適な実施形態について説明する。
【００１４】
１．画像読取装置の説明
（１）機構の説明
【００１５】
図１は、画像読取装置（以下、本読取装置という）の構成を示す説明図である。同図において、本読取装置は、下部筐体１、上部筐体２、排紙トレイ３から構成されている。本読取装置では、原稿を静止させて画像を読み取る静止読取モード、原稿を搬送させながら画像を読み取る走行読取モード、あるいは、原稿を搬送させながら、原稿における両面の画像を読み取る両面読取モードで、原稿に対する画像読み取りを行えるようになっているとともに、その読取モードは、後段の要求に応じて読取モード信号として伝達可能となっている。
【００１６】
これらの読取モードは、本読取装置を搭載する画像形成装置に備えられる操作部（液晶ディスプレイよりなる表示部と設定を行うボタンなどより構成）より入力される。例えば、原稿セットトレイ（後述）に原稿がセットされた状態（原稿セット検出センサで原稿が検知された状態）で、コピーボタンが押された時は、走行読取モードで読み取るように設定されており、両面読取モードで読み取る際は、上記操作部より両面読取モードの設定を行う。
【００１７】
また、原稿台に原稿が置かれると下部筐体１内、あるいは、原稿台の近傍に配置された原稿サイズ検知センサ（例えば、フォトセンサ）によって原稿サイズが検知され、コピーボタンが押された時は、静止読取モードで原稿の読み取りを行う。
【００１８】
そして、静止読取モードでは下部筐体１内の第１読取部１０によって画像を読み取る一方、走行読取モードでは、上部筐体２内の第２読取部２３によって画像読み取りを行うようになっている。また、両面読取モードでは、これら第１読取部１０および第２読取部２３の双方を同時に用いるように設定されている。
【００１９】
図１に示すように、下部筐体１は、第１読取部１０と第１コンタクトガラス１１とから構成され、第１読取部１０は、第１走査ユニット１２、第２走査ユニット１３、結像レンズ１４、ＣＣＤ（Charge Coupled Device）１５、第２コンタクトガラス１６を備えている。
【００２０】
第２コンタクトガラス１６（原稿台）は、静止読取モードで読み取る原稿を載置するための台であり、第１走査ユニット１２は、第１コンタクトガラス１１に沿って左から右に一定速度Ｖで移動しながら、原稿を露光するものである。そして、光源（露光ランプ）５０と、原稿の反射光を第２走査ユニット１３に導く第１の反射ミラー５１とを有している。
【００２１】
第２走査ユニット１３は、第１走査ユニット１２に追随してＶ／２の速度で移動するようになっており、第１反射ミラー５１からの光を結像レンズ１４、ＣＣＤ１５に導く第２反射ミラー５２、第３反射ミラー５３を備えている。
【００２２】
結像レンズ１４は、第３反射ミラー５３からの反射光を、ＣＣＤ１５上で結像させるものである。ＣＣＤ１５は、結像レンズ１４からの光をアナログの電気信号に変換するものである。なお、この電気信号は、後述する画像処理装置によってデジタルの画像データに変換される。
【００２３】
また、この第１読取部１０は、第１コンタクトガラス１１上に載置された原稿の読み取りに加えて、後述するように、上部筐体２の部材によって搬送されている原稿の画像を読み取る機能も有している。
【００２４】
また、第１コンタクトガラス１１上の原稿を読み取る際には、第１走査ユニット１２は、図１中のＰｏｓ１の位置からＰｏｓ２の位置の方向に、原稿サイズ検出手段（不図示）で検出された原稿サイズに応じて所定距離だけ移動するようになっている。一方、搬送されている原稿を読み取る際には、図１中のＰｏｓ３の位置に停止している。
【００２５】
また、使用されていない待機中には、図１中のＰｏｓ１の位置とＰｏｓ３の位置との中間のＰｏｓ０（不図示）の位置（ホームポジション）に、停止している。
また、第１コンタクトガラス１１の端部前側には、原稿基準板（不図示）が備えられており、第１コンタクトガラス１１に載置する原稿のサイズ・載置方向を示す指標が示されている。従って、ユーザは、この指標に従って、第１コンタクトガラス１１に原稿を容易に載置できる。
【００２６】
第２読取部２３は、原稿セットトレイ２２に載置された原稿の画像を読み取るためのものであり、原稿搬送部３１、イメージセンサ部３２、原稿搬送路３３、原稿排出部３４を備えている。
【００２７】
原稿搬送部３１は、原稿セットトレイ２２に載置された原稿を取り入れ、原稿搬送路３３上を搬送させるものである。イメージセンサ部３２は、搬送されている原稿の画像を読み取るものである。原稿排出部３４は、イメージセンサ部３２によって画像を読み取られた後の原稿を、排紙トレイ３に排出するものである。
【００２８】
原稿搬送部３１は、給送補助ローラ６１、原稿セット検出センサ６２、原稿抑え板６３、摩擦パッド６４、給送タイミングセンサ６５、給送ローラ６６、整合ローラ対６７を備えている。
給送補助ローラ６１および原稿抑え板６３は、原稿セット検出センサ６２に検知された原稿を、第２読取部２３内部に引き入れるものである。摩擦パッド６４、給送ローラ６６および整合ローラ対６７は、給送タイミングセンサ６５の検知結果に基づいて、引き込まれた原稿を１枚毎にイメージセンサ部３２に導くものである。
【００２９】
なお、整合ローラ対６７は、その駆動軸に電磁クラッチ（不図示）を備えており、駆動モータ（不図示）からの駆動力の伝達を制御できるようになっており、原稿のない状態では停止している。そして、原稿の先端が給送タイミングセンサ６５に接触し、このセンサから所定の信号が伝達されたときに、原稿を下流側に搬送する方向に回動するように設定されている。
【００３０】
整合ローラ対６７は、停止した状態で、摩擦パッド６４および給送ローラ６６により上流側より搬送された原稿の先端が、整合ローラ対６７のニップ部に付き当たり、原稿に所定の撓みを形成した後に、下流側に原稿を搬送するように回動する。この際に、整合ローラ対６７のニップ部により、原稿の先端が搬送方向に直角となるように整合される。さらに、整合ローラ対６７は、第２コンタクトガラス１６との間で、原稿搬送路３３の一部を形成している。
【００３１】
原稿排出部３４は、原稿排出ローラ対６９および原稿排出センサ５９を備えている。原稿排出ローラ対６９の上側ローラは、駆動側のローラであり、上部筐体２の左側部に一体的に設けられて、上部筐体２中の駆動機構により駆動されている。原稿排出ローラ対６９の上側ローラは、下部筐体１側に回転自在に設けられた原稿排出ローラ対６９の下側ローラ（従動ローラ）とで、原稿搬送路３３を通った原稿を、挟持搬送して、排紙トレイ３上に排出する機能を有している。
【００３２】
また、原稿排出センサ５９は、原稿排出ローラ対６９の下流側に配置されており、原稿の排出を、後述する読取制御部に伝達するものである。
イメージセンサ部（CIS：Contact Image Sensor）３２は、上部筐体２に設けられており、原稿搬送路３３を走行する原稿における上側の画像を読み取るためものである。
【００３３】
次に、本読取装置における読み取り処理について説明する。
静止読取モード時では、片面モードだけが選択可能となり、第１読取部１０だけが原稿の読み取りに用いられる。このとき、第１読取部１０の第１走査ユニット１２は、まずホームポジション（図１中のＰｏｓ３とＰｏｓ１との間にあるＰｏｓ０）に配置される。そして、読取制御部の指示に応じて、Ｐｏｓ１の位置から第１コンタクトガラス１１上に載置された原稿を走査しながら、第２走査ユニット１３とともにＰｏｓ２側に移動する。これにより、ＣＣＤ１５に、原稿画像に応じた反射光を受光させることが可能となる。このように、第１読取部１０は、静止した原稿の下側の面（表面）に形成されている画像を読み取ることとなる。
【００３４】
走行読取モード時では、片面読取モードと両面読取モードの両方が選択可能となる。走行読取モードの片面読取モード時には、第１読取部１０だけが原稿の読み取りに用いられる。このモードの指示があると、第１読取部１０の第１走査ユニット１２は、ホームポジションＰｏｓ０の位置からＰｏｓ３の位置に移動して停止し、そのまま停止状態を保持して、走行する原稿の読み取りを行う。そして、読取制御部の指示に応じて、ＣＣＤ１５が、第２コンタクトガラス１６を介して、原稿搬送路３３を搬送される原稿の画像を下側から読み取る。すなわち、第１読取部１０は、原稿の下側の面（表面）に形成されている画像を読み取ることとなる。
【００３５】
走行読取モードの両面読取モード時には、第１読取部１０およびイメージセンサ部３２の双方が原稿の読み取りに用いられる。このとき、第１読取部１０の第１走査ユニット１２は、走行読取モードの片面読取モード時と同様に、図１中のＰｏｓ３の位置に停止される。
そして、読取制御部の指示に応じて、第１読取部１０が、第２コンタクトガラス１６を介して、原稿搬送路３３を搬送される原稿の画像を下側から読み取る。また、同様に、イメージセンサ部３２が、搬送される原稿の上側の面（裏面）に形成されている画像を上側から読み取る。
このように、本読取装置における両面読取モードでは、第１読取部１０およびイメージセンサ部３２が、搬送原稿の表裏両面の画像を、上下方向から一度に読み取ることとなる。
【００３６】
（２）本読取装置の画像処理の説明
図２は、本発明の画像処理装置を備える画像読取装置の機能構成を示すブロック図である。同図において、画像処理装置１１０は、Ａ／Ｄ（アナログ／デジタル）変換部１１１、シェーディング補正部１１２、原稿種別自動判別部１１３とから構成されており、これに画像入力装置（画像読取手段）１３０が接続され、全体として画像読取装置を構成している。
【００３７】
画像入力装置１３０は、例えば、ＣＣＤ（Charge Coupled Device）を備えたスキャナ部より構成され、原稿からの反射光像を、ＲＧＢ（Ｒ：赤、Ｇ：緑、Ｂ：青）のアナログ信号としてＣＣＤにて読み取って、画像処理装置１１０に入力するものである。
【００３８】
画像入力装置１３０にて読み取られたアナログ信号は、画像処理装置１１０内を、Ａ／Ｄ変換部１１１、シェーディング補正部１１２、原稿種別自動判別部１１３の順で送られる。
Ａ／Ｄ変換部１１１は、ＲＧＢのアナログ信号をデジタル信号に変換するもので、シェーディング補正部１１２は、Ａ／Ｄ変換部１１１より送られてきたデジタルのＲＧＢ信号に対して、画像入力装置１３０の照明系、結像系、撮像系で生じる各種の歪みを取り除く処理を施すものである。
また、シェーディング補正部１１２ではカラーバランスの調整を行う。また、シェーディング補正部１１２では、各種の歪みが取り除かれ、カラーバランスの調整がなされたＲＧＢ信号（ＲＧＢの反射率信号）を濃度信号など画像処理装置１１０に採用されている画像処理システムの扱い易い信号に変換する。
【００３９】
原稿種別自動判別部１１３では、シェーディング補正部１１２で処理された画像データに基づいて、原稿種別を自動的に判別し、判別結果を原稿種別判別信号として出力する。
【００４０】
また、原稿種別自動判別部１１３では、走行読取モードのときに印画紙写真原稿および文字印画紙写真原稿の画像データの画像処理に用いる設定値であるテーブルやパラメータを変更する。また、他の読取モードについては、初期設定のままとする。また、変更内容については後述するが、これらは各読取モードに対応して記憶手段（図示しない）に予め記憶させておく。
【００４１】
そして、画像読取装置は、原稿種別自動判別部１１３から出力された画像データと原稿種別判別信号をプリンタや複合機に、あるいは、コンピュータに送信する。
【００４２】
２．デジタルカラー複写機の説明
図３は、本発明の画像処理装置を備えるデジタルカラー複写機（画像形成装置）の機能構成を示すブロック図である。同図において、画像処理装置１１０は、Ａ／Ｄ変換部１１１、シェーディング補正部１１２、原稿種別自動判別部１１３、入力階調補正部１１４、領域分離処理部１１５、色補正部１１６、黒生成下色除去部１１７、空間フィルタ処理部１１８、出力階調補正部１１９、階調再現処理部１２０とから構成されており、これに、画像入力装置１３０と画像出力装置１４０とが接続され、全体としてデジタルカラー複写機を構成している。
【００４３】
画像入力装置（画像読取手段）１３０は、例えば、ＣＣＤを備えたスキャナ部より構成され、原稿からの反射光像を、ＲＧＢのアナログ信号としてＣＣＤにて読み取って、画像処理装置１１０に入力するものである。
【００４４】
画像入力装置１３０にて読み取られたアナログ信号は、画像処理装置１１０内を、Ａ／Ｄ変換部１１１、シェーディング補正部１１２、原稿種別自動判別部１１３、入力階調補正部１１４、領域分離処理部１１５、色補正部１１６、黒生成下色除去部１１７、空間フィルタ処理部１１８、出力階調補正部１１９、階調再現処理部１２０の順で送られ、ＣＭＹＫ（Ｃ：シアン、Ｍ：マゼンタ、Ｙ：イエロー、Ｋ：黒）のデジタルカラー信号として、画像出力装置１４０へ出力される。
【００４５】
Ａ／Ｄ変換部１１１は、ＲＧＢのアナログ信号をデジタル信号に変換するもので、シェーディング補正部１１２は、Ａ／Ｄ変換部１１１より送られてきたデジタルのＲＧＢ信号に対して、画像入力装置１３０の照明系、結像系、撮像系で生じる各種の歪みを取り除く処理を施すものである。また、シェーディング補正部１１２では、各種の歪みが取り除かれ、カラーバランスの調整がなされたＲＧＢ信号（ＲＧＢの反射率信号）を濃度信号など画像処理装置１１０に採用されている画像処理システムの扱い易い信号に変換する。
【００４６】
原稿種別自動判別部１１３では、原稿画像を静止読取モードで読み取るか、または、走行読取モードで原稿を読み取るかによって、印画紙写真原稿および文字印画紙写真原稿の画像データの画像処理、色補正処理および空間フィルタ処理に用いる設定値であるテーブルやパラメータを変更する。また、他の読取モードについては、初期設定のままとする。また、変更内容については後述するが、これらは各読取モードに対応して記憶手段（図示しない）に予め記憶させておく。
【００４７】
入力階調補正部１１４は、シェーディング補正部１１２で補正された画像データに基づいて、下地濃度の除去やコントラストなどの画質調整処理が施される。
領域分離処理部１１５は、ＲＧＢ信号より、入力画像中の各画素を文字領域、網点領域、写真領域を含む複数の領域に分離するものである。領域分離処理部１１５は、分離結果に基づき、画素がどの領域に属しているかを示す領域識別信号を、色補正部１１６、黒生成下色除去部１１７、空間フィルタ処理部１１８、階調再現処理部１２０へと出力するとともに、入力階調補正部１１４より出力された入力信号をそのまま後段の色補正部１１６に出力する。
【００４８】
色補正部１１６は、色再現の忠実化実現のために、不要吸収成分を含むＣＭＹ色材の分光特性に基づいた色濁りを取り除く処理を行う。
黒生成下色除去部１１７は、色補正後のＣＭＹの３色信号からＫ信号を生成する黒生成、元のＣＭＹ信号から黒生成で得たＫ信号を差し引いて新たなＣＭＹ信号を生成する処理を行うものであって、ＣＭＹの３色信号はＣＭＹＫの４色信号に変換される。
【００４９】
黒生成処理の一例として、スケルトンブラックによる黒生成を行う一般的な方法がある。この方法では、スケルトンカーブの入出力特性をｙ＝ｆ（ｘ）、入力されるデータをＣ，Ｍ，Ｙ、出力されるデータをＣ'，Ｍ'，Ｙ'，Ｋ'、ＵＣＲ（Under Color Removal）率をα（０＜α＜１）とすると、黒生成下色除去処理は以下の式（１）で表わされる。
【００５０】
【数１】
2009182930.tif 000003
【００５１】
空間フィルタ処理部１１８は、黒生成下色除去部１１７より入力されるＣＭＹＫ信号の画像データに対して、領域識別信号を基にデジタルフィルタによる空間フィルタ処理を行い、空間周波数特性を補正することによって出力画像のぼやけや粒状性劣化を防ぐように処理するものであって、階調再現処理部１２０も、空間フィルタ処理部１１８と同様に、ＣＭＹＫ信号の画像データに対して、領域識別信号を基に所定の処理を施すものである。
【００５２】
領域分離処理部１１５にて文字に分離された領域は、例えば、特に黒文字あるいは色文字の再現性を高めるために、空間フィルタ処理部１１８による空間フィルタ処理における鮮鋭強調処理で高周波数の強調量が大きくされる。同時に、階調再現処理部１２０においては、高域周波数の再現に適した高解像度のスクリーンでの二値化または多値化処理が選択される。
【００５３】
また、領域分離処理部１１５にて網点領域に分離された領域に関しては、空間フィルタ処理部１１８において、入力網点成分を除去するためのローパス・フィルタ処理が施される。そして、出力階調補正部１１９では、濃度信号などの信号を画像出力装置１４０の特性値である網点面積率に変換する出力階調補正処理を行った後、階調再現処理部１２０で、最終的に画像を画素に分離してそれぞれの階調を再現できるように処理する階調再現処理（中間調生成）が施される。
また、領域分離処理部１１５にて写真に分離された領域に関しては、階調再現性を重視したスクリーンでの二値化または多値化処理が行われる。
【００５４】
操作パネル１５０は、例えば、液晶ディスプレイなどの表示部と設定ボタンなどより構成され、操作パネル１５０より入力された情報に基づいて画像入力装置１３０、画像処理装置１１０、画像出力装置１４０の動作が制御される。
【００５５】
上述した各処理が施された画像データは、一旦、記憶手段に記憶され、所定のタイミングで読み出されて画像出力装置１４０に入力される。この画像出力装置１４０は、画像データを記録媒体（例えば紙等）上に出力するもので、例えば、電子写真方式やインクジェット方式を用いたカラー画像出力装置等を挙げることができるが、特に限定されるものではない。尚、以上の処理は、不図示のＣＰＵ（Central Processing Unit）で構成される制御部により制御される。
【００５６】
また、デジタルカラー複写機に通信装置を備えた複合機としても良い。通信装置は、例えば、モデムやネットワークカードより構成され、ネットワークカード、ＬＡＮケーブル等を介して、ネットワークに接続された他の装置（例えば、パーソナルコンピュータ、サーバ、他のデジタル複合機等）とデータ通信を行う。
【００５７】
通信装置は、例えば、画像データを送信する場合、相手先との送信手続きを行って送信可能な状態が確保されると、所定の形式で圧縮された画像データ（スキャナで読み込まれた画像データ）を記憶手段から読み出し、圧縮形式の変更など必要な処理を施して、通信回線を介して相手先に順次送信する。
【００５８】
また、通信装置は、画像データを受信する場合、通信手続きを行うとともに、相手先から送信されてくる画像データを受信して画像処理装置に入力する。受信した画像データは、画像処理装置で伸張処理、回転処理、解像度変換処理、出力階調補正、階調再現処理などの所定の処理が施され、画像出力装置によって出力される。なお、受信した画像データを記憶手段に保存し、画像処理装置が必要に応じて読み出して上記所定の処理を施すようにしてもよい。
【００５９】
３．原稿種別自動判別部の説明
図４は、原稿種別自動判別部１１３の機能構成を示すブロック図であり、同図において、原稿種別自動判別部１１３は、読取モード信号により印画紙写真原稿および文字印画紙写真原稿の画像データの画像処理に用いる設定値であるテーブルやパラメータの変更を行う処理内容変更部２３０、最小濃度値を算出する最小濃度値算出部２３１、最大濃度値を算出する最大濃度値算出部２３２、最小濃度値算出部２３１および最大濃度値算出部２３２にて算出された最小濃度値および最大濃度値を用いて最大濃度差を算出する最大濃度差算出部２３３、隣接する画素の濃度差の絶対値の総和を算出する総和濃度繁雑度算出部２３４、最大濃度差算出部２３３にて算出された最大濃度差と総和濃度繁雑度算出部２３４にて算出された総和濃度繁雑度に対して、各閾値と比較することにより下地・印画紙写真画素と文字・網点画素に分離する判定領域設定部２３５、判定領域設定部２３５において文字・網点画素と判別された画素が文字画素か網点画素かを判定する文字・網点判定部２３６、判定領域設定部２３５において下地・印画紙写真画素と判別された画素が下地画素か印画紙写真画素かを判定する下地・印画紙写真判定部２３７、注目画素が文字画素のときに文字画素カウンタに１を加える文字画素計数部２３８、注目画素が網点画素のときに網点画素カウンタに１を加える網点画素計数部２３９、注目画素が下地画素のときに下地画素カウンタに１を加える下地画素計数部２４０、注目画素が印画紙写真画素のときに印画紙写真画素カウンタに１を加える印画紙写真画素計数部２４１、計数された各カウンタに基づいて原稿の種別を判別する原稿判定部２４２からなっている。
【００６０】
また、判定領域設定部２３５は、注目画素の最大濃度差算出部２３３にて算出された結果に対し、下地・印画紙写真画素と文字・網点画素とに分離するための最大濃度差閾値を設定するための最大濃度差閾値設定部２４３と、注目画素の総和濃度繁雑度算出部２３４にて算出された結果に対し下地・印画紙写真画素と文字・網点画素とに分離するための総和濃度繁雑度閾値を設定するための総和濃度繁雑度閾値設定部２４４とを有している。
【００６１】
さらに、上記文字・網点判定部２３６は、注目画素が文字画素と網点画素とのいずれであるかを判別する文字・網点判定閾値を設定するための文字・網点判定閾値設定部２４５を有する一方、下地・印画紙写真判定部２３７は、注目画素が下地画素と印画紙画素とのいずれであるかを判別する下地・印画紙写真判定閾値を設定するための下地・印画紙判定閾値設定部２４６を有している。
【００６２】
次に、原稿種別自動判別部１１３の処理手順について、図５に示すフローチャートを用いて説明する。シェーディング補正部１１２から出力されるすべての画素について、以下に説明する処理を施すことによって、読み取った原稿の種別が判別される。
この原稿種別の判別は、プレスキャンして判定してもよく、ハードディスク等の記憶手段に一旦格納された画像データを用いてもよい。
また、１つの画素について判定を行うのではなく、注目画素を含むｎ×ｍ（例えば、７×１５）のブロックを元に判定を行うようにしてもよい。
【００６３】
先ず、画像読取装置における読取モード信号が原稿台に原稿を置いて読み取る静止読取モードである場合（ステップＳ１／「静止読取モード」）、予め設定されている画像処理に用いる設定値であるテーブルやパラメータは変更せずにステップＳ３へ進む。
【００６４】
一方、画像読取装置における読取モード信号が原稿を搬送させながら読み取る走行読取モード、両面読取モードである場合（ステップＳ１／「走行読取モード」、「両面読取モード」）、予め設定されている印画紙写真原稿および文字印画紙原稿の画像データの画像処理に用いる設定値であるテーブルやパラメータを変更し（ステップＳ２）、ステップＳ３へ進む。この画像処理に用いる設定値であるテーブルやパラメータの変更については後述する。
【００６５】
次に、注目画素の濃度値が今までに処理した画素の濃度値のうちで、最大濃度値を算出するとともに（ステップＳ３）、最小濃度値の算出を行う（ステップＳ４）。
次いで、算出された最大濃度値および最小濃度値を用いて最大濃度差を算出し（ステップＳ５）、さらに、隣接する画素の濃度差の絶対値の総和、つまり総和濃度繁雑度を算出する（ステップＳ６）。
【００６６】
次に、算出された最大濃度差が最大濃度差閾値よりも小さく、かつ、総和濃度繁雑度が総和濃度繁雑度閾値よりも小さいと判断したときには（ステップＳ７／ＹＥＳ）、注目画素は下地・印画紙写真の画素であると判断する（ステップＳ８）。
上記下地・印画紙写真画素においては、算出された最大濃度差が下地・印画紙判定閾値より小さければ（ステップＳ９／ＹＥＳ）、下地画素であると判定して、下地画素カウンタを１つ進め（ステップＳ１０）、最大濃度差の方が大きければ印画紙写真画素であると判定し、印画紙写真画素カウンタを１つ進める（ステップＳ１１）。
【００６７】
一方、ステップＳ７において、上記条件を充たさないときには（ステップＳ７／ＮＯ）、文字・網点画素であると判断する（ステップＳ１２）。
上記文字・網点画素においては、算出された総和濃度繁雑度が最大濃度差に文字・網点判定閾値を掛けた値より小さければ（ステップＳ１３／ＹＥＳ）、文字画素であると判定して、文字画素カウンタを１つ進め（ステップＳ１４）、総和濃度繁雑度の方が大きければ（ステップＳ１３／ＮＯ）、網点画素であると判定して、網点画素カウンタを１つ進める（ステップＳ１５）。
ステップＳ３〜Ｓ１５の処理をすべての画素について繰り返す（ステップＳ１６）。
【００６８】
ステップＳ１０，Ｓ１１，Ｓ１４，Ｓ１５でカウントした下地画素カウンタ、印画紙写真画素カウンタ、文字画素カウンタ、網点画素カウンタの値が全画素数に占める割合を計算し、各カウンタの割合と予め定められている下地領域、印画紙写真領域、文字領域及び網点領域に対する閾値と比較して原稿全体の種別を判定し（ステップＳ１７）、原稿種別判定結果の信号を出力して処理を終了する。
【００６９】
上記の原稿種別の判定は、例えば、文字、網点、印画紙写真の順に検出精度が高いとすると、文字領域の割合が全画素数の３０％（文字領域閾値）以上の場合には文字原稿、網点領域の割合が全画素数の２０％（網点領域閾値）以上の場合には網点原稿（印刷写真原稿）、印画紙写真領域の割合が全画素数の１０％（印画紙写真領域閾値）以上の場合には印画紙写真原稿であると判定する。
【００７０】
次に、印画紙写真原稿および文字印画紙原稿の画像データの画像処理に用いる設定値であるテーブルやパラメータの変更について説明する。
連続階調領域よりなる印画紙写真等を普通紙にインクジェット方式で高解像度（例えば、１２００ｄｐｉ、２４００ｄｐｉ）印刷したものを原稿とし、その原稿を低解像度（例えば、６００ｄｐｉ）で読み取ると、中濃度領域や高濃度領域の画像が印画紙写真（連続階調領域よりなる写真）と判定されることがある。しかし、普通紙に印刷された写真は、微小ドットで構成されているため、印刷写真（網点写真ともいう）として判定されるべきものである。
【００７１】
また、普通紙にインクジェット方式で印刷された原稿は、写真専用紙に出力されたものに比べて色が鮮やかではなく、くすんだ色で出力されているので、他の原稿の種類と誤判定されると、色補正がなされたときに異なった色で出力されたり、低濃度領域において粒状性が目立つおそれがでてくる。
原稿を読み取る読取モード信号が静止読取モードである場合、画像処理に用いる設定値であるテーブルやパラメータは次のような処理になっている。
【００７２】
（１）原稿の種別が印画紙写真原稿のとき：
印画紙写真よりなる原稿（印画紙に焼き付けられた銀塩写真）や印画紙写真を貼り付けた原稿、あるいは、光沢紙にインクジェット方式で印刷された高解像度の写真がコピーを行う対象となり得るので、色補正処理は、彩度の強弱や階調性のバランスが極端にならないような（階調が潰れない）印画紙写真の再現に適切な処理を行うような色補正値が設定されている。色補正処理は色補正テーブルを用いてもよく、あるいは、マトリクス演算などの数式を用いて行うようにしてもよい。
フィルタ処理は、強調しつつもスキャナのノイズ成分を抑える平滑も行う混合フィルタにより処理を行うように、フィルタ係数が設定されている。
【００７３】
（２）原稿の種別が文字印画紙写真原稿のとき：
文字エッジ領域には文字エッジ用の処理、文字エッジでない領域には印画紙写真原稿と同じ処理を行う。
【００７４】
次に、原稿を読み取る読取モードが走行読取モード、両面読取モードである場合には、後段の処理内容が次のような処理となるように変更する。
【００７５】
（１）原稿の種別が印画紙写真原稿であるとき：
印画紙写真や用紙に原稿を貼り付けた原稿を使用することはほとんどなく、普通紙に印刷されたものを原稿として用いるのがほとんどである。その場合、上記した不具合が発生し得るので、色補正処理は、写真専用紙に出力されたものに比べて鮮やかではなく、くすんだ色で出力されているので、普通紙にインクジェット方式で印刷された原稿に適した色補正値を備える色補正テーブルを設定する。メモリ容量やその他の理由によりその色補正テーブルが使えなければ、印刷写真用の色補正テーブルを設定することで、印画紙写真用の色補正値よりは少なくとも適した色で出力される。色補正処理は上記したように、色補正テーブルではなく数式を用いて行うようにしてもよい。
また、フィルタ処理は、オフセット印刷のような様態とは異なるが網点で構成されている領域を含んでいるので、静止読取モードよりは平滑成分を強めたフィルタ処理を行うようなフィルタ係数を設定する。
【００７６】
（２）原稿の種別が文字印画紙写真原稿のとき：
文字エッジ領域には文字エッジ用の処理、文字エッジでない領域には印画紙写真原稿と同じ処理を行う。
【００７７】
上記の原稿種別自動判別部１１３では、原稿の種別を判別する前に、印画紙写真原稿および文字印画紙写真原稿の画像データの画像処理に用いる設定値であるテーブルやパラメータの変更を行っていたが、原稿の種別を判別した後に、印画紙写真原稿および文字印画紙写真原稿であると判定された際、走行読取モード、あるいは、両面読取モードの判定を行い、画像処理に用いる設定値であるテーブルやパラメータを変更するようにしてもよい。
【００７８】
また、上述した実施形態では、原稿全体が同一の原稿種別であるとして説明してきた。しかし、同一の原稿であっても種々の領域（文字領域、写真領域、網点領域、下地等）が混在していることが多い。このような場合を考慮すると、原稿種別を判定したときに、画像処理に用いる設定値であるテーブルやパラメータを変更するのではなく、下記するように後段の画像処理ごとに、読取モード、原稿種別、領域ごとの種別とその領域における画像処理に用いる設定値であるテーブルやパラメータの変更の有無の信号、を判断して、その都度、画像処理に用いる設定値であるテーブルやパラメータを変えるようにしてもよい。
【００７９】
（１)原稿判別結果を基づいて、領域分離を行うパラメータを変更し、領域毎に応じた処理を行う。
（２）後段の処理の種類に応じて、原稿全体に処理を行う場合と、領域毎に行う場合に分ける。例えば、フィルタ処理は原稿全体に同じ処理を行い、中間調処理については領域ごとに行う。
（３）原稿種別に応じて、原稿全体に処理を行う場合と、領域ごとに行う場合に分ける。例えば、文字印画紙写真原稿は原稿全体に同じ処理を行い、文字印刷写真原稿については、領域ごとに分けて処理を行う。
【００８０】
また、上述した実施形態では、原稿の種類（領域の種類も含む）、読取モードによって自動的に画像処理に用いる設定値であるテーブルやパラメータを変更していたが、必要に応じて設定できるようにしてもよい。
即ち、静止読取モードの場合と走行読取モードあるいは両面読取モードの場合のそれぞれに対して、後段の画像処理に用いる設定値であるテーブルやパラメータの組を記憶手段に予め記憶させておく。
原稿種別自動判別部の処理内容変更部では、画像処理に用いる設定値であるテーブルやパラメータの組を読取モードに応じて記憶手段から読み出して設定する。
【００８１】
例えば、操作パネルにより、プリント原稿搬送モードが選択されたとき、上記の画像処理に用いる設定値であるテーブルやパラメータを変更するものとしてもよい。
あるいは、スキャナが原稿を搬送して読み取る機構を備えているコンピュータシステムでは、スキャナの設定条件の画面において、プリント原稿搬送モードが選択されたとき、上記画像処理に用いる設定値であるテーブルやパラメータを変更するものとしてもよい。
【００８２】
尚、本発明は上述した実施形態に限定されず、本発明の要旨を逸脱しない範囲内で各種の変形、修正が可能であるのは勿論である。例えば、上述した実施形態を構成する画像処理装置の各部として、コンピュータを機能させるプログラムを作成し、予め記録媒体に書き込んでおき、この記録媒体に記録されたこれらのプログラムを当該装置に備えられたメモリあるいは記憶装置に格納し、そのプログラムを実行することによって、本発明の目的が達成されることは言うまでもない。
【００８３】
この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【００８４】
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納された上記プログラムをサーバコンピュータから直接供給を受けるようにしてもよい。この場合、このサーバコンピュータの記憶装置も本発明の記録媒体に含まれる。
【図面の簡単な説明】
【００８５】
【図１】画像読取装置の構成を示す説明図である。
【図２】本発明の画像処理装置を備える画像読取装置の機能構成を示すブロック図である。
【図３】本発明の画像処理装置を備えるデジタルカラー複写機の機能構成を示すブロック図である。
【図４】原稿種別自動判別部の機能構成を示すブロック図である。
【図５】原稿種別自動判別部の処理手順を示すフローチャートである。
【符号の説明】
【００８６】
１…下部筐体、２…上部筐体、３…排紙トレイ、１０…第１読取部、１１…第１コンタクトガラス、１２…第１走査ユニット（Ｐｏｓ１，Ｐｏｓ２，Ｐｏｓ３）、１３…第２走査ユニット、１４…結像レンズ、１５…ＣＣＤ、１６…第２コンタクトガラス、２２…原稿セットトレイ、２３…第２読取部、３１…原稿搬送部、３２…イメージセンサ部、３３…原稿搬送路、３４…原稿排出部、５１…第１反射ミラー、５２…第２反射ミラー、５３…第３反射ミラー、５９…原稿排出センサ、６１…給送補助ローラ、６２…原稿セット検出センサ、６３…原稿抑え板、６４…摩擦パッド、６５…給送タイミングセンサ、６６…給送ローラ、６７…整合ローラ対、６９…原稿排出ローラ対、１１０…画像処理装置、１１１…Ａ／Ｄ変換部、１１２…シェーディング補正部、１１３…原稿種別自動判別部、１１４…入力階調補正部、１１５…領域分離処理部、１１６…色補正部、１１７…黒生成下色除去部、１１８…空間フィルタ処理部、１１９…出力階調補正部、１２０…階調再現処理部、１３０…画像入力装置、１４０…画像出力装置、１５０…操作パネル、２３０…処理内容変更部、２３１…最小濃度値算出部、２３２…最大濃度値算出部、２３３…最大濃度差算出部、２３４…総和濃度繁雑度算出部、２３５…判定領域設定部、２３６…文字・網点判定部、２３７…下地・印画紙写真判定部、２３８…文字画素計数部、２３９…網点画素計数部、２４０…下地画素計数部、２４１…印画紙写真画素計数部、２４２…原稿判定部、２４３…最大濃度差閾値設定部、２４４…総和濃度繁雑度閾値設定部、２４５…文字・網点判定閾値設定部、２４６…下地・印画紙判定閾値設定部。
【図１】
2009182930.tif 000004
【図２】
2009182930.tif 000005
【図３】
2009182930.tif 000006
【図４】
2009182930.tif 000007
【図５】
2009182930.tif 000008